(57)【要約】【課題】　本考案は、梃子の原理を利用し弾力性を持ったパイプ型万能釣竿掛け台座である。【解決手段】　図１に示すように、ビニールパイプ型万能台座１と木の板等を使用して２枚の上下、ステ状部分２の所に支え部３で両端を固定し、隙間を設けたものを前方と後方に備えて、ステ状部分２が倒れない様に、下のステ状部分２の底部に接続調整部材４を４ヶ所固定し、パイプ型万能台座１を取り付けて、継手部品７とパイプ型万能釣竿掛け５を取り付け、ステ状部分２の隙間にパイプ型万能釣竿掛け６を挿入固定して使用する構造である。【選択図】　　　　　　図１
0003099285.tif 000002
【実用新案登録請求の範囲】
【請求項１】
２枚の上下、ステ状部分の所に支え部を両端に固定し、隙間を設けたものを、前方と後方にそなえて、ステ状部分が倒れない様に、下のステ状部分の底部に接続調整部材を４ヶ所固定し、伸縮可能なパイプ型万能台座とパイプ型万能釣竿掛けを取り付けステ状部分の隙間に、パイプ型万能釣竿掛けを角度調整し、１本ないし３本を変形加工したパイプ型万能釣竿掛けを挿入固定し、置竿用に更に継手部品とパイプ型万能釣竿掛けは、１ヶ所ないし４ヶ所を投釣用としてのパイプ型万能釣竿掛け台座。
【請求項２】
クーラーボックスに一体化する場合は、上のステ部分がクーラーボックスの底部でステ状部分の代わりに成る為、下のステ状部分とクーラーボックスの底部に支え部を両端に固定し隙間を設ければよい。前方と後方のステ状部分の下に接続調整部材を４ヶ所固定し、伸縮可能なパイプ型万能台座とパイプ型万能釣竿掛け継手部品を取り付けて、ステ状部分の隙間にパイプ型万能釣竿掛けを角度調整し、挿入して使用すればよい、パイプ型万能釣竿掛け台座。
【請求項３】
幅を有する２枚の上下、ステ状部材の両端に支え部をボルト等で隙間を調整固定出来るようにし、ステ状部分が倒れないように、下のステ状部分の底部に接続調整部材を取り付けて、台座部材を調整固定出きるものにし、パイプ型釣竿掛けを角度調整し、１本ないし３本を変形加工したパイプ型万能釣竿掛けを挿入し、ピン等で固定するパイプ型万能釣竿掛け台座。
【請求項４】
２本の伸縮可能な台座部材をＶ字型等色々な形にする場合に角度調整部材を使用して、パイプ型万能釣竿掛けを角度調整出来る様にボルト等で取り付け調整固定し、台座中央上部に、あるていど高さのある１本のステ状部材を左右に調整固定出来る様にした、パイプ型万能釣竿掛け台座。
【考案の詳細な説明】
【考案の詳細な説明】
【技術分野】
【０００１】　本考案はビニールパイプ、プラスチック、木材、竹、金属類等の素材の活用が出来る、パイプ型万能釣竿掛け台座に関するものである。
【背景技術】
【０００２】　従来は、釣をする際に、釣竿掛けを用いる場合がある。砂浜の場合においては、釣竿掛けを若干砂に刺し込んで固定して用いるが、岩場やコンクリート堤防等では、置いて重石を載せる等の工夫をしていた。又コンクリート釘を、釣竿掛けに一体と成したものは、既に発案なされている。
【考案が解決しようとする課題】
【０００３】　従来の釣竿掛けでは、岩場やコンクリート堤防での使用では安定が悪く、風が吹いた時や多少引きの強い魚が釣れた時など、倒れて竿を持って行かれる事などがあった。
【課題を解決するための手段】
【０００４】　本考案は、ビニールパイプと木の板等を使用して２枚の上下、ステ状部分の所に支え部を両端に固定し、隙間を設けたものを前方と後方に備えて、ステ状部分が倒れない様に、下のステ状部分の底部に接続調整部材を４ヶ所固定し、クーラーボックスのサイズにも合わせられる様に、伸縮可能なパイプ型万能台座を前後に移動調整が出来る様に接続を可能にし、パイプ型万能釣竿掛けを安定固定せしめ従来の問題点を解決した。
【考案を実施するための最良の形態】
【０００５】　図１に示すように、ビニールパイプ型万能台座１と木の板等２を使用して、２枚の上下、ステ状部分２の所に支え部３で両端を固定し、隙間を設けたものを前方と後方に備えて、ステ状部分２が倒れない様に、下のステ状部分２の底部に接続調整部材４を４ヶ所固定し、パイプ型万能台座１を取り付けステ状部分２の隙間にパイプ型万能釣竿掛け６を角度調整し、１本ないし３本を熱で変形加工したパイプ型万能釣竿掛け６を挿入固定し、置竿用に更に継手部品７とパイプ型万能釣竿掛け５は１ヶ所ないし４ヶ所を投釣用としてのパイプ型万能釣竿掛け台座。尚、パイプ型万能釣竿掛け台座本体を型にながして、一体化などすることも出来る。又前方と後方のステ状部分２を隙間の無いもので使用する事も調整部４を固定する事も出来るものである。【０００６】　図２に示すように、上記工程により完成した本考案は、隙間さえあれば、熱で変形加工し１本でも使用出来るパイプ型万能釣竿掛け６である。尚、パイプ型万能釣竿掛け５、６の角度は継手部品７交換で、１本ないし本数を増やす事も出来る。【０００７】　図３に示すように、クーラーボックス８に一体化する場合は、上のステ状部分２がクーラーボックス８の底部で上のステ状部分２の代わりになる為、下のステ状部分２とクーラーボックス８の底部に支え部３を両端に固定し、隙間を設ければよい、前方と後方の下のステ状部分２の底部に接続調整部材４を４ヶ所固定し、パイプ型万能台座１とパイプ型万能釣竿掛け５を取り付けステ状部２の隙間にパイプ型万能釣竿掛け６を挿入固定して使用すれば良い、パイプ型万能釣竿掛け台座。尚、クーラーボックスと釣竿掛け台座を型にながして、一体化などすることも出来る。
【考案の効果】
【０００８】　本考案に係るパイプ型万能釣竿掛け台座は従来の釣竿掛けでは不安定だったり釣場所の面積を確保しなくてはならなかったが、場所を選ばず、どこへでも移動可能で安定固定される為、安心して釣を楽しむことが出来る。その上構造が簡単な為安価と成す事が出来るなどの効果を得たものである。
【図面の簡単な説明】
【図１】本考案に係る本体の側面図である。
【図２】本考案に係るパイプ型万能釣竿掛け（変形加工）と継手部品の側面図である。
【図３】本考案に係るクーラーボックスに、一体化した側面図である。
【符号の説明】
　１　　パイプ型万能台座　２　　ステ状部分　３　　支え部　４　　接続調整部材　５　　パイプ型万能釣竿掛け　６　　パイプ型万能釣竿掛け（変形加工）　７　　継手部品　８　　クーラーボックス本体
【図１】
0003099285.tif 000003
【図２】
0003099285.tif 000004
【図３】
0003099285.tif 000005
【手続補正書】
【提出日】平成15年8月11日(2003.8.11)
【手続補正１】
【補正対象書類名】明細書
【補正対象項目名】実用新案登録請求の範囲
【補正方法】変更
【補正の内容】
【実用新案登録請求の範囲】
　　　【請求項１】２枚の上下、ステ状部分の所に支え部を両端に固定し、隙間を設けたものを、前方と後方にそなえて、ステ状部分が倒れない様に、下のステ状部分の底部に接続調整部材を４ヶ所固定し、伸縮可能なパイプ型万能台座とパイプ型万能釣竿掛けを取り付けステ状部分の隙間に、パイプ型万能釣竿掛けを角度調整し、１本ないし３本を変形加工したパイプ型万能釣竿掛けを挿入固定し、置竿用に更に継手部品とパイプ型万能釣竿掛けは、１ヶ所ないし４ヶ所を投釣用としてのパイプ型万能釣竿掛け台座。
　　　【請求項２】クーラーボックスに一体化する場合は、上のステ部分がクーラーボックスの底部でステ状部分の代わりに成る為、下のステ状部分とクーラーボックスの底部に支え部を両端に固定し隙間を設ければよい。前方と後方のステ状部分の下に接続調整部材を４ヶ所固定し、伸縮可能なパイプ型万能台座とパイプ型万能釣竿掛け継手部品を取り付けて、ステ状部分の隙間にパイプ型万能釣竿掛けを角度調整し、挿入して使用すればよい、パイプ型万能釣竿掛け台座。
　　　【請求項３】幅を有する２枚の上下、ステ状部材の両端に支え部をボルト等で隙間を調整固定出来るようにし、ステ状部分が倒れないように、下のステ状部分の底部に接続調整部材を取り付けて、台座部材を調整固定出きるものにし、パイプ型釣竿掛けを角度調整し、１本ないし３本を変形加工したパイプ型万能釣竿掛けを挿入し、ピン等で固定するパイプ型万能釣竿掛け台座。
　　　【請求項４】２本の伸縮可能な台座部材をＶ字型等色々な形にする場合に角度調整部材を使用して、パイプ型万能釣竿掛けを角度調整出来る様にボルト等で取り付け調整固定し、台座中央上部に、あるていど高さのある１本のステ状部材を左右に調整固定出来る様にした、パイプ型万能釣竿掛け台座。
　　　【請求項５】パイプ型万能釣竿掛けを支える２枚の板状部材をステ状と云う、上下のステ状部分の所に支え部を両端に調整固定し、隙間を設けたものを、前方と後方にそなえて、ステ状部分が倒れない様に、下のステ状部分の底部に接続調整部材を４ヶ所固定し、１本ないし数本の変形加工したパイプ型万能釣竿掛けをピン等で固定もでき、釣竿の重さ等で倒れない作用効果の伸縮可能なパイプ型万能台座で、固定もでき、長さが前方に長く、クーラーボックスのサイズに台座を合わせて、押さえ部材を蝶ネジ等で固定し、ステ状部材を、増やすことも出来る特徴を有する台座で、重石等を必要としない安定固定出来る、パイプ型万能釣竿掛け台座。